(57)【要約】【課題】冷陰極線管やインバータから発生する電磁波ノイズによって画像の表示に乱れを及ぼすことのないバックライトユニット用反射シート、及び液晶表示装置用バックライトユニットを提供すること。【解決手段】白色熱可塑性樹脂フィルム面上に、無機物のフィラーを含有した樹脂からなる導電層を設けたこと。白色熱可塑性樹脂フィルムが、ポリエステル系樹脂フィルム、ポリオレフィン系樹脂フィルム、又は両樹脂フィルムの複層であること。無機物のフィラーが酸化スズを主成分とし、樹脂がウレタン系樹脂であること。【選択図】図１
2006106231.tif 000002
【特許請求の範囲】
【請求項１】
少なくとも１層以上の白色熱可塑性樹脂フィルムを用いたバックライトユニット用反射シートにおいて、白色熱可塑性樹脂フィルムの少なくとも片面上に、無機物のフィラーを含有した樹脂からなる導電層を設けたことを特徴とするバックライトユニット用反射シート。
【請求項２】
前記白色熱可塑性樹脂フィルムが、ポリエステル系樹脂フィルム、ポリオレフィン系樹脂フィルム、又は両樹脂フィルムの複層であることを特徴とする請求項１記載のバックライトユニット用反射シート。
【請求項３】
前記無機物のフィラーが酸化スズを主成分とし、樹脂がウレタン系樹脂であることを特徴とする請求項１記載のバックライトユニット用反射シート。
【請求項４】
請求項１、請求項２、又は請求項３記載のバックライトユニット用反射シートを用いたことを特徴とする液晶表示装置用バックライトユニット。
【発明の詳細な説明】
【技術分野】
【０００１】
本発明は、透過型液晶表示装置に用いられるバックライトユニットに関するものであり、特に、金属製の支持体に積層せずに、電磁波シールド効果をもたせたバックライトユニット用反射シートに関する。
【背景技術】
【０００２】
近年、液晶表示装置のバックライトユニットには、その反射シートとして、例えば、特開平４−２３９５４０号公報に開示されている白色ポリエステルフィルムや、特開２００４−１５７４０９号公報に開示されている白色ポリオレフィン系樹脂フィルムが汎用的に用いられている。
これらのフィルムは、多くの場合、アルミニウムやステンレスといった金属製の支持体に積層され、バックライトユニットの設計に従い折り曲げや、打ち抜き加工が施されて用いられる。
【０００３】
しかし、液晶表示装置が小型の場合には、フィルム単体で用いられることがある。この際には、金属製の支持体がない状態であるため、冷陰極線管やインバータから発生する電磁波ノイズによって帯電し、電荷が蓄積し放電するとったプロセスを経るので、画像の表示が乱れるといった悪影響を及ぼす。
【特許文献１】特開平４−２３９５４０号公報
【特許文献２】特開２００４−１５７４０９号公報
【発明の開示】
【発明が解決しようとする課題】
【０００４】
本発明は、上記問題を解決するためになされたものであり、小型の透過型液晶表示装置のバックライトユニットに用いる反射シートのように、金属製の支持体に積層されていないフィルムであって、冷陰極線管やインバータから発生する電磁波ノイズによって画像の表示に乱れを及ぼすことのないバックライトユニット用反射シートを提供することを課題とするものである。
また、このバックライトユニット用反射シートを用いた液晶表示装置用バックライトユニットを提供することを課題とする。
【課題を解決するための手段】
【０００５】
本発明は、少なくとも１層以上の白色熱可塑性樹脂フィルムを用いたバックライトユニット用反射シートにおいて、白色熱可塑性樹脂フィルムの少なくとも片面上に、無機物のフィラーを含有した樹脂からなる導電層を設けたことを特徴とするバックライトユニット用反射シートである。
【０００６】
また、本発明は、上記発明によるバックライトユニット用反射シートにおいて、前記白色熱可塑性樹脂フィルムが、ポリエステル系樹脂フィルム、ポリオレフィン系樹脂フィルム、又は両樹脂フィルムの複層であることを特徴とするバックライトユニット用反射シートである。
【０００７】
また、本発明は、上記発明によるバックライトユニット用反射シートにおいて、前記無機物のフィラーが酸化スズを主成分とし、樹脂がウレタン系樹脂であることを特徴とする
バックライトユニット用反射シートである。
【０００８】
また、本発明は、請求項１、請求項２、又は請求項３記載のバックライトユニット用反射シートを用いたことを特徴とする液晶表示装置用バックライトユニットである。
【発明の効果】
【０００９】
本発明は、白色熱可塑性樹脂フィルム面上に、無機物のフィラーを含有した樹脂からなる導電層を設けたバックライトユニット用反射シートであるので、冷陰極線管やインバータから発生する電磁波ノイズによって画像の表示に乱れを及ぼすことのないバックライトユニット用反射シートとなる。
また、反射シートには導電層が設けられているので、金属製の支持体が不要となり廉価なものとなる。また、反射シートをバックライトユニットの形状に応じて加工する際に、金属製の支持体に積層されていないので、折り曲げや、打ち抜き加工時の刃物の磨耗が減り廉価なものとなる。
【００１０】
また、本発明は、上記バックライトユニット用反射シートを用いた液晶表示装置用バックライトユニットであるので、冷陰極線管やインバータから発生する電磁波ノイズによって画像の表示に乱れを及ぼすことのない、廉価なバックライトユニットとなる。
【発明を実施するための最良の形態】
【００１１】
以下に、本発明を実施の形態に基づいて説明する。
図１は、本発明によるバックライトユニット用反射シートの一実施例を示す断面図である。図１に示すように、この一実施例におけるバックライトユニット用反射シートは、白色熱可塑性樹脂フィルムの片面上に、無機物のフィラーを含有した樹脂からなる導電層を設けたものである。
【００１２】
また、図２は、本発明によるバックライトユニット用反射シートを液晶表示装置用バックライトユニットに用いた一例の断面図である。図２に示すように、この一例に示す液晶表示装置用バックライトユニット（１０）は、冷陰極線管（４）、導光板（５）、本発明によるバックライトユニット用反射シート（３）、拡散板（６）、インバータ（７）で構成されている。
【００１３】
冷陰極線管（４）からの光は、導光板（５）、拡散板（６）を経て液晶表示装置（図示せず）に達する。バックライトユニット用反射シート（３）の左端は冷陰極線管（４）を覆うように折り曲げられており、冷陰極線管（４）からの光を反射して導光板（５）に導き、また、導光板（５）から漏れた光を、図２における導光板（５）の下方に位置するバックライトユニット用反射シート（３）の部分で反射して再び導光板（５）に入射している。
【００１４】
本発明における白色熱可塑性樹脂フィルムは、４００〜８００ｎｍの波長域において、光反射率の高い白色を呈するフィルムが好ましい。特に波長４００〜８００ｎｍにおける分光反射率は９０％以上であることが望ましい。また、フィルム内部を発泡構造とすることで、光の透過が抑えられ反射率の向上したものが得られる。
樹脂の種類としてはポリエステル系、ポリオレフィン系のものが好ましい。また、成形性を考慮するとポリオレフィン系、或いは非晶質ポリエステル系が望ましいが、延伸ポリエステル系でもよい。
【００１５】
フィルムの厚さは、フィルム内部が発泡構造であれば反射率は高いので、厚さは薄くてもよい。本発明のバックライトユニット用反射シートフィルムは、金属製の支持体に積層されていないので厚さが薄すぎると剛性が不足し使用しずらくなる。ポリエステル系であ
れば１５０μｍ以上の厚さ、ポリオレフィン系であれば２００μｍ以上の厚さが必要である。
【００１６】
本発明における導電層は、白色熱可塑性樹脂フィルム上に無機物のフィラーを含有した樹脂を、例えば、コーティングによって形成したものである。
樹脂としては、アクリル系、ウレタン系、ポリエステル系、アルキッド系など熱可塑性樹脂フィルムに適した樹脂を適宜に選択すればよい。また、アソシアネートやエポキシなどの架橋剤を用いると、白色熱可塑性樹脂フィルムとの密着性は向上したものになる。
【００１７】
導電性フィラーを用いて導電層に導電性を与えるが、導電性フィラーとしては、アルミニウム、銀、酸化スズなどの金属系が用いられる。さらに、セラミックス系（酸化マグネシウム、酸化亜鉛、酸化アルミニウムなどの酸化物）、複酸化物（チタン酸カリウム、ホウ酸アルミニウムなど）、非酸化物（炭化珪素）、その他（黒鉛、炭酸カルシウム、炭酸亜鉛など）も用いられる。
【００１８】
フィラーの粒子径は、小さく、また粒子の分散が均一であることが重要である。粒子径は大きくとも略３μｍ、好ましくは１μｍ以下であることが望ましい。粒子径が大き過ぎると接触する粒子間の距離が離れすぎ、導電性が消失する。また、分散が不十分だと粒子の分散が均一でないために導電性が十分に現出しない。また、ＩＴＯなどを用いた場合には微分散が可能であるが高価なものとなる。
【００１９】
バックライトユニット用反射シート（３）を用いる際は、図２に示すように、バックライトユニット用反射シート（３）を導光板（５）とインバータ（７）の間に、その白色熱可塑性樹脂フィルム（１）面を導光板（５）側に、導電層（２）面をインバータ（７）側に向けて設ける。このように配置することにより、光を反射する機能、及び電磁波を吸収する機能が発揮される。
また、図２において、白色熱可塑性樹脂フィルム（１）の導光板（５）側の面上に、導電層（２）を設けることによって、冷陰極線管（４）からの電磁波を十分に吸収することが可能となるが、導電層によって反射率が低下することは否めない。
【００２０】
また、本発明は、無機物のフィラーが酸化スズを主成分とし、樹脂がウレタン系樹脂であることを特徴とするものである。
樹脂がウレタン系樹脂であると、コーティング適性、反応性、柔軟性などの制御がし易く塗料化しやすい。ナノ分散をすることで、塗膜を透明化しやすい。また、比較的に安価である。
フィラーが酸化スズを主成分とし、酸化スズに対しアンチモンをドープすることにより、酸化スズの二次凝集を防止しやすくなる。また、カーボンブラックに比べ酸化スズの二次凝集の防止を比較的簡単におこなえる。
【実施例１】
【００２１】
以下に、実施例により本発明を具体的に説明する。
平均粒径５μｍからなる酸化スズ、バインダー（樹脂）として分子量約１０，０００、固形分３０ｗｔ％からなるポリエステル系樹脂（ＵＲ：東洋インキ製造（株）製）を用い、以下のように配合し分散を行った。
【００２２】
・ポリエステル系樹脂      ・・・・・１００重量部
・酸化スズ                ・・・・・・３０重量部
配合した樹脂を、ホモ系ポリプロピレン樹脂からなる２００μｍの白色ポリプロピレンフィルム（積水フィルム（株）製）に対して固形分で５ｇ／ｍ2 となるように塗工し反射シートを得た。
【００２３】
得られた反射シートの表面抵抗値は、テスターの電極間距離を２０ｃｍとして測定した結果、５００ｋΩであった。
本反射シートと、上記配合した樹脂を塗工していない白色ポリプロピレンフィルムを各々単体で、バックライトユニット用反射シートとして図２に示すように組み込んだところ（導光板（５）とインバータ（７）の間）、本反射シートを組み込んだバックライトユニットは導光板やインバータから受ける電磁波を吸収し、配合した樹脂を塗工していない白色ポリプロピレンフィルムを組み込んだバックライトユニットに比較して輝度のバラツキは非常に小さく有効であった。
【実施例２】
【００２４】
平均粒径５μｍからなる酸化スズ、バインダー（樹脂）として分子量約２０，０００、固形分３０ｗｔ％からなるポリエステル系樹脂（ＵＲＸ：東洋インキ製造（株）製）、ポリイソシアネート（イソホロンジイソシアネート系：東洋インキ製造（株）製）を用い、以下のように配合し分散を行った。
【００２５】
・ポリエステル系樹脂      ・・・・・１００重量部
・酸化スズ                ・・・・・・３０重量部
・ポリイソシアネート      ・・・・・・・５重量部
配合した樹脂を、厚さ１８８μｍの白色ポリエステル系フィルム（Ｗ２１１Ｊ：三菱樹脂（株）製）に対して固形分で５ｇ／ｍ2 となるように塗工し反射シートを得た。
【００２６】
得られた反射シートの表面抵抗値は、テスターの電極間距離を２０ｃｍとして測定した結果、１３００ｋΩであった。
本反射シートと、上記配合した樹脂を塗工していない白色ポリエステル系フィルムを各々単体で、バックライトユニット用反射シートとして図２に示すように組み込んだところ（導光板（５）とインバータ（７）の間）、本反射シートを組み込んだバックライトユニットは導光板やインバータから受ける電磁波を吸収し、配合した樹脂を塗工していない白色ポリエステル系フィルムを組み込んだバックライトユニットに比較して輝度のバラツキは非常に小さく有効であった。
【実施例３】
【００２７】
高光沢のコートを施した白色ポリプロピレン樹脂からなる厚さ２００μｍのフィルム（積水フィルム（株）製）に梨地のエンボス加工を行い、厚さ２００μｍの白色の非晶質ポリエステルフィルム（ディアクレールＷ２０１２）を積層した。白色の非晶質ポリエステルフィルムの面に実施例１と同じ樹脂を配合し導電層を設けた。
【００２８】
得られた反射シートの表面抵抗値は、テスターの電極間距離を２０ｃｍとして測定した結果、１３００ｋΩであった。
本反射シートと、樹脂を塗工していない積層フィルムを各々単体で、バックライトユニット用反射シートとして図２に示すように組み込んだところ（導光板（５）とインバータ（７）の間）、本反射シートを組み込んだバックライトユニットは導光板やインバータから受ける電磁波を吸収し、樹脂を塗工していない積層フィルムを組み込んだバックライトユニットに比較して輝度のバラツキは非常に小さく有効であった。
【図面の簡単な説明】
【００２９】
【図１】本発明によるバックライトユニット用反射シートの一実施例を示す断面図である。
【図２】本発明によるバックライトユニット用反射シートを液晶表示装置用バックライトユニットに用いた一例の断面図である。
【符号の説明】
【００３０】
１・・・白色熱可塑性樹脂フィルム
２・・・導電層
３・・・本発明によるバックライトユニット用反射シート
４・・・冷陰極線管
５・・・導光板
６・・・拡散板
７・・・インバータ
１０・・・液晶表示装置用バックライトユニット
【図１】
2006106231.tif 000003
【図２】
2006106231.tif 000004